(57)【要約】【課題】ハードディスクをリムーバブル記録媒体として用いることができるリムーバブルハードディスク装置を実現する。【解決手段】記録再生ユニット２０と制御ユニット１０を分離して構成し、コネクタ１６ａ，１６ｂにて接続する。記録再生ユニット２０には記録アンプ再生アンプ２１を設けており、コネクタ１６ｂを通して送られてきた信号をディスク２３上に記録再生し、サーボ、メカコントロールもメカセンサモータ制御回路２４により行わせる。記録再生ユニット２０は、ハードディスクにデータを記録再生する際に最小限必要な部品、回路にて構成しており、さらに脱着可能となっている。【選択図】　　　図１
2004062961.tif 000002
【特許請求の範囲】
【請求項１】
本体装置で信号処理した情報を記録再生し、前記本体装置との間で脱着自在に接続できるハードディスク装置を用いた記録再生システムであって、
前記ハードディスク装置は、
前記本体装置と接続するための第１のコネクタと、
記録媒体を有するハードディスク部と、
前記ハードディスク部にアクセスして情報の記録再生を行うヘッドを有するヘッド部と、
前記ヘッド部にデータを記録再生する記録再生部と、
を有して構成され、
前記本体装置は前記ハードディスク装置に対応した記録再生すべきデジタル信号を抜き取り整形するデータフォマット部と、
前記データフォマット部より前記ハードディスク部を制御する信号を生成する制御信号生成回路部とで構成される信号処理制御手段と、
前記信号処理制御手段は前記ハードディスク装置に接続するための第２のコネクタと、
を有して構成されており、
前記第１及び第２のコネクタは、前記ハードディスク装置の前記記録媒体、又は前記ヘッドの種類によって異なったピン配置を有し誤挿入を防止する構成としたことを特徴とするハードディスク装置。
【請求項２】
請求項１に記載の本体装置内の記録再生システムを構成する前記信号処理制御手段を、前記本体装置と分離した別装置として、前記本体装置と前記ハードディスク装置との間に、第３のコネクタを介し前記本体装置との間で脱着自在に接続できるように構成したことを特徴とする請求項１に記載のハードディスク装置。
【請求項３】
前記第３のコネクタは、ＰＣＭＣＩＡ規格のコネクタであることを特徴とする請求項２に記載のハードディスク装置。
【発明の詳細な説明】
【０００１】
【発明の属する技術分野】
本発明は、ハードディスクドライブ装置に関する。
【０００２】
【従来の技術】
大容量の記録媒体として従来から磁気テープが用いられてきた。最近ではハードディスクドライブ（以下ＨＤＤと記す）の記録密度が飛躍的に向上し、テープと比較してアクセス性の良いディスク媒体への期待が高まっているが、大容量のデータの保存にＨＤＤを用いるには１台のＨＤＤでは記録容量が不足するため、ＨＤＤを複数台使用する構成が特開２００１−６３５０公報に開示されている。
【０００３】
【発明が解決しようとする課題】
前述のように、一般にＨＤＤは廉価なテープ媒体と比較すると、画像記録のような大容量のデータの保存には経済的ではない。また、ＨＤＤの重量、体積を小さくしたモバイル用途のＨＤＤも開発されているが、大きさに準じて記録容量も少なくなり、用途が限定されるという問題があった。
更に、磁気ディスク媒体は、媒体とヘッド間のワーキングディスタンスが非常に小さいため、ディスクのみを取り替えてデータを保存する、いわゆるリムーバブル記録媒体としての用途には不向きであるという問題があった。
【０００４】
ハードディスクは年々容量が増加してきており、ディスク１枚につき２０ＧＢの容量であったかと思えば、１年後には４０ＧＢにまで増加することなどが頻繁に発生する。当然、モータの回転数、トラックピッチ、データレートなどが変化してくる。
従って、単純に必要最小限の部品で構成したＨＤＤをコネクタを介し接続するようなリームバブルハードディスクドライブ装置を考案した場合、異なる記録容量のハードディスクを接続した場合、動作しなかったり、あるいは最悪ハードディスクを壊してしまうという問題があった。
【０００５】
本発明は、以上の点に鑑みなされたもので、従来ＨＤＤにおいては、記録再生ユニットと制御ユニットが同一筐体内に収納されていたが、ディスクにデータを保存したい場合に、電気回路、メカ、ヘッド、及び媒体が同一筐体に収納された、記録再生ユニットを複数用意し、記録容量に応じて記録再生ユニットを選択し、データを記録、再生するリームバブルハードディスクドライブ装置を提供する。
その際に、接続するコネクタの形状を記録媒体の記録容量、あるいはヘッドの種類により異なるものとすることで、同一サイズのコネクタを持つ複数の異なる容量の記録再生ユニットから、制御可能なユニットを物理的に選択することが可能となる構成とすることで、記録再生ユニットの誤挿入による事故を未然に防止することができ、操作性の良いリームバブルハードディスクドライブ装置を提供する。
【０００６】
【課題を解決するための手段】
本発明は、上記課題を解決するために、以下の１）〜３）記載の手段よりなる。
すなわち、
１）本体装置で信号処理した情報を記録再生し、前記本体装置との間で脱着自在に接続できるハードディスク装置を用いた記録再生システムであって、
前記ハードディスク装置は、
前記本体装置と接続するための第１のコネクタと
記録媒体を有するハードディスク部と、
前記ハードディスク部にアクセスして情報の記録再生を行うヘッドを有するヘッド部と、
前記ヘッド部にデータを記録再生する記録再生部と
を有して構成され、
前記本体装置は前記ハードディスク装置に対応した記録再生すべきデジタル信号を抜き取り整形するデータフォマット部と、
前記データフォマット部より前記ハードディスク部を制御する信号を生成する制御信号生成回路部とで構成される信号処理制御手段と、
前記信号処理制御手段は前記ハードディスク装置に接続するための第２のコネクタと、
を有して構成されており、
前記第１及び第２のコネクタは、前記ハードディスク装置の前記記録媒体、又は前記ヘッドの種類によって異なったピン配置を有し誤挿入を防止する構成としたことを特徴とするハードディスク装置。
２）１）に記載の本体装置内の記録再生システムを構成する前記信号処理制御手段を、前記本体装置と分離した別装置として、前記本体装置と前記ハードディスク装置との間に、第３のコネクタを介し前記本体装置との間で脱着自在に接続できるように構成したことを特徴とする１）に記載のハードディスク装置。
３）前記第３のコネクタは、ＰＣＭＣＩＡ規格のコネクタであることを特徴とする２）に記載のハードディスク装置。
【０００７】
【発明の実施の形態】
本発明の実施の形態につき、好ましい実施例により説明する。図１は、その実施例に適用されるＨＤＤを用いたディジタル信号記録再生装置の概略ブロック図である。従来はコネクタ１６ａ，１６ｂが無く、記録再生ユニット２０と制御ユニット１０が同一パッケージ内に収納されていたが、本実施例では、それらを分離して構成している。
【０００８】
同図のコネクタ１１は図示しないＰＣに接続されておりＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）規格を満たすものであるとする。ＰＣからデータを記録するように指示が発生すると、バスの規格に従ってインタフェース１２がＰＣからのデータを受け取る。受け取ったデータはＨＤＤに記録されるべくデータフォーマッタ１３によってトラックフォーマットが行われ、コネクタ１６ａを介して記録再生ユニットに送られる。
一方、サーボメカ制御回路１４によって、規定の回転数でのディスクの回転、ヘッドの移動などの制御信号が生成され、こちらもコネクタ１６ａを通して記録再生ユニットに送られる。これら一連の動作は、システムコントロール回路１５により制御が行われる。
【０００９】
記録再生ユニット２０には記録アンプ２１を設けており、コネクタ１６ｂを通して送られてきた信号を増幅してディスク２３上に記録を行う。同時に図示しないモータもコネクタ１６ｂを通して送られてきた信号によって回転制御される。モータの回転、ヘッド２２の位置などのセンサ信号も、コネクタ１６ｂを介して制御ユニット２０に送られ、サーボ、メカコントロールがメカセンサモータ制御回路２４により行われる。
【００１０】
再生時は、ヘッド２２によって再生された信号を、再生アンプ２１で増幅し、コネクタ１６ｂを介して制御ユニット１０に送る。制御ユニット１０では、信号を検出して誤り訂正などの処理が行われ、その後インタフェース１２を通してＰＣにデータが送られる。
サーボ、メカコントロールも記録時同様にメカセンサモータ制御回路２４にて行われる。
このように、記録再生ユニット２０は、ハードディスクにデータを記録再生する際に最小限必要な部品、回路にて構成している。
【００１１】
次に図２は、別実施例で、ＨＤＤを用いたディジタル信号記録再生装置の媒体容量の違いを識別するコネクタを備えている場合の例である。
ハードディスクは年々容量が増加してきており、ディスク１枚につき２０ＧＢの容量であったかと思えば、１年後には４０ＧＢにまで増加することなどが頻繁に発生する。当然、モータの回転数、トラックピッチ、データレートなどが変化してくる。
この実施例では、これら媒体容量の違いを識別するのに、コネクタのピン配置を異なるものを用意する構成とした。以下同図（ａ）、（ｂ）、（ｃ）を用い説明する。
【００１２】
同図（ａ）の示したコネクタＴｙｐｅＡは、２０ＧＢのディスクフォーマットに対応した制御ユニット側の第１のコネクタの一部を示している。同様に（ｂ）に示すコネクタＴｙｐｅＢは４０ＧＢのディスクに対応しているものとする。
ＴｙｐｅＡの穴を有する制御ユニットには、２０ＧＢの記録再生ユニットを制御する回路が組まれており、ＴｙｐｅＡの穴形状に対応した記録再生ユニットのみが装着可能である。ＴｙｐｅＢのコネクタは物理的に装着することができない。このように、制御ユニット、記録再生ユニットのコネクタを媒体容量の違いに応じた形状とすることで誤挿入を起こすことがない。
【００１３】
次に制御ユニットに２０ＧＢのディスクフォーマットも４０ＧＢのディスクフォーマットもどちらも制御が可能な制御ユニットが用意されている例を説明する。この場合のコネクタ形状例として、（ｃ）のようなものが挙げられる。これだと、ＴｙｐｅＡ（ａ）、ＴｙｐｅＢ（ｂ）いずれのコネクタも装着が可能である。
また、同図（ｃ）を制御ユニット側の端子とし、端子１，２は抵抗を介してプルアップする構成とし、（ａ）及び（ｂ）を記録再生ユニット側の端子とし、１又は２は、常時接地されている構成とする。このように構成したことにより、（ｃ）の制御ユニット側に（ａ）ＴｙｐｅＡのユニットが挿入された場合は、端子１がＬＯＷレベル、端子２がＨＩＧＨレベルとなり、（ｂ）ＴｙｐｅＢのユニットが挿入された場合には、端子１がＨＩＧＨレベル、端子２ＬＯＷレベルはとなり、接続されたユニットの種類を識別することができるので、接続されたユニットの種類に応じて制御方法を選択するようにすればよい。
【００１４】
更に図３は、別実施例で、ビデオムービー装置３０に制御ユニット部を取り込んだ例である。ムービーユニット３１には周知のカメラ、マイク、モニタなど、従来から用いられている装置が付属しておりＰＣからのデータのかわりに画像音声の信号処理回路３２からのデータ記録再生ユニット２０に供給される。
この実施例であると、記録再生ユニットへのビデオ、オーディオデータの記録が可能であり、従来のテープメディアに代わりハードディスクを記録媒体として用いることができる。その結果、電源容量、記録時間等に合わせて、適切なフォーマットの記録再生ユニット２０を選択して装着することで、自由度の高いビデオカメラシステムを構成することができる。
【００１５】
また、ビデオムービーに限らず、映像装置側に制御ユニット部を取り込み、用途に合わせて適切なフォーマットの記録再生ユニット２０を選択して装着することで、自由度の高いデジタル信号記録再生装置を構成することができる。
【００１６】
【発明の効果】
以上説明したように、同じフォーマットの別の記録再生ユニットを付け替える構成としたことにより、フロッピー（登録商標）ディスクのように、媒体そのものを交換することは出来ないが、パッケージに収納されたハードディスクを、いわばフロッピー（登録商標）ディスク感覚で扱うことが可能である。ハードディスクはパッケージングされているので、ワーキングディスタンスを保ちつつ、ゴミによるクラッシュを回避することができる。
また、記録再生ユニットは、従来の制御ユニットが分離されている分、重量、体積、価格の面において従来のＨＤＤよりも優れたパフォーマンスを有することは言うまでも無い。
これによって、据え置き用途として用いられてきたＨＤＤも、リムーバブル媒体として利用することが可能となる。
【００１７】
また、記録再生ユニットを接続するコネクタの穴形状、位置を変えることによって、物理的にＨＤＤのタイプを選別する構成とすることで、同一サイズのコネクタを持つ複数の異なる容量の記録再生ユニットから、制御可能なユニットを物理的に選択することが可能となるため、記録再生ユニットの誤挿入による事故を未然に防止することができ、操作性が向上する。
【図面の簡単な説明】
【図１】本実施例に適用される制御ユニット及び記録再生ユニットを説明するための概略図である。
【図２】本実施例に適用される制御ユニット及び記録再生ユニットを接続するためのコネクタ説明するための概略図である。
【図３】本実施例に適用されるビデオムービー装置と組合わせた記録再生ユニットを説明するための概略図である。
【符号の説明】
１０…制御ユニット
１１，１６ａ，１６ｂ…コネクタ
１２…インターフェース
１３…データフォーマッタ
１４…サーボメカ制御回路
１５…オペレーションシステムコントロール回路
２０…記録再生ユニット
２１…記録アンプ再生アンプ
２２…ヘッド
２３…ハードディスク
２４…メカセンサモータ制御回路
３０…ビデオムービー装置
３１…ムービーユニット
３２…画像音声信号処理回路
【図１】
2004062961.tif 000003
【図２】
2004062961.tif 000004
【図３】
2004062961.tif 000005